(57)【要約】【課題】紙幣の釣銭準備金を作成する際に、硬貨の釣銭準備金に関する情報を出力することにより、操作者が手管理で硬貨の釣銭準備金を作成するにあたり部分的なサポートを行うことができ、作業効率を向上させることができる紙幣処理装置等を提供する。【解決手段】紙幣の処理を行う紙幣処理装置２０は制御部７０を備えている。制御部７０は、紙幣処理装置２０において紙幣の釣銭準備金を作成する際に、硬貨の釣銭準備金に関する情報を出力するようになっている。【選択図】図１
2013012056.tif 000002
【特許請求の範囲】
【請求項１】
紙幣の処理を行う紙幣処理装置であって、
前記紙幣処理装置において紙幣の釣銭準備金を作成する際に、硬貨の釣銭準備金に関する情報を出力する制御部を備えたことを特徴とする紙幣処理装置。
【請求項２】
前記紙幣処理装置は表示部を更に備え、
前記表示部は、前記制御部から出力された硬貨の釣銭準備金に関する情報を表示するようになっていることを特徴とする請求項１記載の紙幣処理装置。
【請求項３】
前記紙幣処理装置は印字部を更に備え、
前記印字部は、前記制御部から出力された硬貨の釣銭準備金に関する情報を印字するようになっていることを特徴とする請求項１記載の紙幣処理装置。
【請求項４】
前記紙幣処理装置はインターフェースを更に備え、
前記インターフェースは、前記制御部から出力された硬貨の釣銭準備金に関する情報を前記紙幣処理装置とは別の装置に送信するようになっていることを特徴とする請求項１記載の紙幣処理装置。
【請求項５】
前記紙幣処理装置は、当該紙幣処理装置とは別に設けられた上位装置に通信接続されており、前記上位装置から前記紙幣処理装置に釣銭準備金の設定情報が送られるようになっており、
前記紙幣処理装置の前記制御部は、前記上位装置から送られた釣銭準備金の設定情報に基づいて、硬貨の釣銭準備金に関する情報を出力することを特徴とする請求項１乃至４のいずれか一項に記載の紙幣処理装置。
【請求項６】
前記紙幣処理装置は記憶部を更に備え、前記記憶部には釣銭準備金の設定情報が記憶されるようになっており、
前記紙幣処理装置の前記制御部は、前記記憶部に記憶された釣銭準備金の設定情報に基づいて、硬貨の釣銭準備金に関する情報を出力することを特徴とする請求項１乃至４のいずれか一項に記載の紙幣処理装置。
【請求項７】
前記紙幣処理装置は、紙幣を収納するためのカセットを受け入れるカセット受入部を更に備え、前記カセットにはカセット記憶部が設けられており、前記カセット記憶部には釣銭準備金の設定情報が記憶されるようになっており、
前記紙幣処理装置の前記制御部は、前記カセットが前記カセット受入部に受け入れられたときに、前記カセット記憶部に記憶された釣銭準備金の設定情報に基づいて、硬貨の釣銭準備金に関する情報を出力することを特徴とする請求項１乃至４のいずれか一項に記載の紙幣処理装置。
【請求項８】
前記カセット記憶部には、前記紙幣処理装置とは別に設けられたレジ釣銭機の在高情報も更に記憶されるようになっており、
前記紙幣処理装置の前記制御部は、前記カセットが前記カセット受入部に受け入れられたときに、前記カセット記憶部に記憶されたレジ釣銭機の在高情報も考慮して、硬貨の釣銭準備金に関する情報を出力することを特徴とする請求項７記載の紙幣処理装置。
【請求項９】
前記カセット記憶部には、前記カセットに収納されている紙幣の収納情報も更に記憶されるようになっており、
前記紙幣処理装置の前記制御部は、前記カセットが前記カセット受入部に受け入れられたときに、前記カセット記憶部に記憶された紙幣の収納情報も考慮して、硬貨の釣銭準備金に関する情報を出力することを特徴とする請求項７または８記載の紙幣処理装置。
【請求項１０】
前記紙幣処理装置は、前記カセット受入部に受け入れられた前記カセットの前記カセット記憶部に情報を書き込む書き込み部を更に備え、
前記書き込み部は、前記制御部から出力された硬貨の釣銭準備金に関する情報を、前記カセット受入部に受け入れられた前記カセットの前記カセット記憶部に書き込むようになっていることを特徴とする請求項７乃至９のいずれか一項に記載の紙幣処理装置。
【請求項１１】
前記紙幣処理装置は、当該紙幣処理装置とは別に設けられたレジ釣銭機に通信接続されており、前記レジ釣銭機から前記紙幣処理装置に当該レジ釣銭機の在高情報が送られるようになっており、
前記紙幣処理装置の前記制御部は、前記レジ釣銭機から送られた当該レジ釣銭機の在高情報も考慮して、硬貨の釣銭準備金に関する情報を出力することを特徴とする請求項５乃至７のいずれか一項に記載の紙幣処理装置。
【請求項１２】
前記制御部は、前記紙幣処理装置において紙幣の釣銭準備金を作成する際に紙幣の釣銭準備金が不足する場合には、硬貨の釣銭準備金に関する情報を出力するときに、不足した紙幣の釣銭準備金の金額に対応する硬貨の金種毎の枚数を、硬貨の釣銭準備金に関する情報に追加することを特徴とする請求項１乃至１１のいずれか一項に記載の紙幣処理装置。
【請求項１３】
硬貨の処理を行う硬貨処理装置であって、
前記硬貨処理装置において硬貨の釣銭準備金を作成する際に、紙幣の釣銭準備金に関する情報を出力する制御部を備えたことを特徴とする硬貨処理装置。
【発明の詳細な説明】
【技術分野】
【０００１】
本発明は、紙幣の処理を行う紙幣処理装置および硬貨の処理を行う硬貨処理装置に関する。
【背景技術】
【０００２】
百貨店やスーパーマーケット、コンビニエンスストア等の小売業の店舗等に設置される現金管理装置として、様々なタイプのものが知られている。例えば、特許文献１には、店舗の売場に設置されているレジスターに収納された売上金等を管理する現金管理装置が開示されている。このような現金管理装置は、店舗の出納係やレジスターのオペレータ等の店員によって操作されるようになっており、レジスターに釣銭として収納されるべき釣銭準備金等の現金の出金を行ったり、レジスターから回収された売上金等の現金の入金を行ったりするようになっている。特許文献１に開示されるような現金管理装置では、釣銭準備金を出金する際には、店員のＩＤカードを認証した後、タッチパネル式のディスプレイ等によって釣銭準備金の出金パターン（具体的には、金種毎の紙幣および硬貨の枚数のパターン）の１つを選択するか、または金種毎の紙幣および硬貨の出金枚数を入力することにより、紙幣および硬貨からなる釣銭準備金を作成するようになっている。
【先行技術文献】
【特許文献】
【０００３】
【特許文献１】特許第４３８５６６８号
【発明の概要】
【発明が解決しようとする課題】
【０００４】
特許文献１に開示されるような現金管理装置では、紙幣の釣銭準備金を出金する紙幣取扱部および硬貨の釣銭準備金を出金する硬貨取扱部がそれぞれ設けられている。しかしながら、現金管理装置に紙幣取扱部および硬貨取扱部の両方を設けた場合には装置価格が高くなってしまうという問題がある。このため、釣銭準備金を作成するための現金管理装置として、価値がより高い紙幣の入出金処理を行う紙幣出納装置のみが設置され、硬貨の釣銭準備金は手管理されている店舗もある。しかしながら、このような店舗では、硬貨の釣銭準備金の内訳を手管理しなければならないため、作業効率が悪いという問題がある。
【０００５】
本発明は、このような点を考慮してなされたものであり、紙幣処理装置において紙幣の釣銭準備金を作成する際に、硬貨の釣銭準備金に関する情報を出力することにより、操作者が手管理で硬貨の釣銭準備金を作成するにあたり部分的なサポートを行うことができ、作業効率を向上させることができる紙幣処理装置を提供することを目的とする。
【０００６】
また、本発明は、硬貨処理装置において硬貨の釣銭準備金を作成する際に、紙幣の釣銭準備金に関する情報を出力することにより、操作者が手管理で紙幣の釣銭準備金を作成するにあたり部分的なサポートを行うことができ、作業効率を向上させることができる硬貨処理装置を提供することを目的とする。
【課題を解決するための手段】
【０００７】
本発明は、紙幣の処理を行う紙幣処理装置であって、前記紙幣処理装置において紙幣の釣銭準備金を作成する際に、硬貨の釣銭準備金に関する情報を出力する制御部を備えたことを特徴とする紙幣処理装置である。
【０００８】
本発明の紙幣処理装置によれば、当該紙幣処理装置において紙幣の釣銭準備金を作成する際に、制御部は、硬貨の釣銭準備金に関する情報（例えば、硬貨の釣銭準備金の出金パターンや合計金額、および／または金種毎の枚数）を出力するようになっている。このため、店舗システムのバックヤード領域等に硬貨出納装置等の硬貨処理装置を設置することを省略することができ、コストを低減することができる。また、硬貨処理装置を設置せずに硬貨の釣銭準備金を手管理で作成する場合にも、紙幣処理装置において硬貨の釣銭準備金に関する情報を出力することにより、操作者が手管理で硬貨の釣銭準備金を作成するにあたり、出力された情報を操作者が確認することにより、操作者に対して部分的なサポートを行うことができ、作業効率を向上させることができる。
【０００９】
本発明の紙幣処理装置においては、前記紙幣処理装置は表示部を更に備え、前記表示部は、前記制御部から出力された硬貨の釣銭準備金に関する情報を表示するようになっていてもよい。
【００１０】
あるいは、前記紙幣処理装置は印字部を更に備え、前記印字部は、前記制御部から出力された硬貨の釣銭準備金に関する情報を印字するようになっていてもよい。
【００１１】
あるいは、前記紙幣処理装置はインターフェースを更に備え、前記インターフェースは、前記制御部から出力された硬貨の釣銭準備金に関する情報を前記紙幣処理装置とは別の装置に送信するようになっていてもよい。
【００１２】
本発明の紙幣処理装置においては、前記紙幣処理装置は、当該紙幣処理装置とは別に設けられた上位装置に通信接続されており、前記上位装置から前記紙幣処理装置に釣銭準備金の設定情報が送られるようになっており、前記紙幣処理装置の前記制御部は、前記上位装置から送られた釣銭準備金の設定情報に基づいて、硬貨の釣銭準備金に関する情報を出力するようになっていてもよい。
【００１３】
あるいは、前記紙幣処理装置は記憶部を更に備え、前記記憶部には釣銭準備金の設定情報が記憶されるようになっており、前記紙幣処理装置の前記制御部は、前記記憶部に記憶された釣銭準備金の設定情報に基づいて、硬貨の釣銭準備金に関する情報を出力するようになっていてもよい。
【００１４】
あるいは、前記紙幣処理装置は、紙幣を収納するためのカセットを受け入れるカセット受入部を更に備え、前記カセットにはカセット記憶部が設けられており、前記カセット記憶部には釣銭準備金の設定情報が記憶されるようになっており、前記紙幣処理装置の前記制御部は、前記カセットが前記カセット受入部に受け入れられたときに、前記カセット記憶部に記憶された釣銭準備金の設定情報に基づいて、硬貨の釣銭準備金に関する情報を出力するようになっていてもよい。
【００１５】
この際に、前記カセット記憶部には、前記紙幣処理装置とは別に設けられたレジ釣銭機の在高情報も更に記憶されるようになっており、前記紙幣処理装置の前記制御部は、前記カセットが前記カセット受入部に受け入れられたときに、前記カセット記憶部に記憶されたレジ釣銭機の在高情報も考慮して、硬貨の釣銭準備金に関する情報を出力するようになっていてもよい。
【００１６】
また、前記カセット記憶部には、前記カセットに収納されている紙幣の収納情報も更に記憶されるようになっており、前記紙幣処理装置の前記制御部は、前記カセットが前記カセット受入部に受け入れられたときに、前記カセット記憶部に記憶された紙幣の収納情報も考慮して、硬貨の釣銭準備金に関する情報を出力するようになっていてもよい。
【００１７】
また、前記紙幣処理装置は、前記カセット受入部に受け入れられた前記カセットの前記カセット記憶部に情報を書き込む書き込み部を更に備え、前記書き込み部は、前記制御部から出力された硬貨の釣銭準備金に関する情報を、前記カセット受入部に受け入れられた前記カセットの前記カセット記憶部に書き込むようになっていてもよい。
【００１８】
本発明の紙幣処理装置においては、前記紙幣処理装置は、当該紙幣処理装置とは別に設けられたレジ釣銭機に通信接続されており、前記レジ釣銭機から前記紙幣処理装置に当該レジ釣銭機の在高情報が送られるようになっており、前記紙幣処理装置の前記制御部は、前記レジ釣銭機から送られた当該レジ釣銭機の在高情報も考慮して、硬貨の釣銭準備金に関する情報を出力するようになっていてもよい。
【００１９】
本発明の紙幣処理装置においては、前記制御部は、前記紙幣処理装置において紙幣の釣銭準備金を作成する際に紙幣の釣銭準備金が不足する場合には、硬貨の釣銭準備金に関する情報を出力するときに、不足した紙幣の釣銭準備金の金額に対応する硬貨の金種毎の枚数を、硬貨の釣銭準備金に関する情報に追加するようになっていてもよい。
【００２０】
本発明は、硬貨の処理を行う硬貨処理装置であって、前記硬貨処理装置において硬貨の釣銭準備金を作成する際に、紙幣の釣銭準備金に関する情報を出力する制御部を備えたことを特徴とする硬貨処理装置である。
【００２１】
本発明の硬貨処理装置によれば、当該硬貨処理装置において硬貨の釣銭準備金を作成する際に、制御部は、紙幣の釣銭準備金に関する情報（例えば、紙幣の釣銭準備金の出金パターンや合計金額、および／または金種毎の枚数）を出力するようになっている。このため、店舗システムのバックヤード領域等に紙幣出納装置等の紙幣処理装置を設置することを省略することができ、コストを低減することができる。また、紙幣処理装置を設置せずに紙幣の釣銭準備金を手管理で作成する場合にも、硬貨処理装置において紙幣の釣銭準備金に関する情報を出力することにより、操作者が手管理で紙幣の釣銭準備金を作成するにあたり、出力された情報を操作者が確認することにより、操作者に対して部分的なサポートを行うことができ、作業効率を向上させることができる。
【発明の効果】
【００２２】
本発明の紙幣処理装置によれば、紙幣の釣銭準備金を作成する際に、硬貨の釣銭準備金に関する情報を出力することにより、操作者が手管理で硬貨の釣銭準備金を作成するにあたり部分的なサポートを行うことができ、作業効率を向上させることができる。
【００２３】
本発明の硬貨処理装置によれば、硬貨の釣銭準備金を作成する際に、紙幣の釣銭準備金に関する情報を出力することにより、操作者が手管理で紙幣の釣銭準備金を作成するにあたり部分的なサポートを行うことができ、作業効率を向上させることができる。
【図面の簡単な説明】
【００２４】
【図１】本発明の実施の形態による紙幣出納装置が設けられた店舗システムの構成を示す構成図である。
【図２】図１に示す店舗システムの概略的な機能ブロック図である。
【図３】図１に示す店舗システムにおける紙幣出納装置の外観を示す斜視図である。
【図４】図３に示す紙幣出納装置の内部構成を示す構成図であって、（ａ）は、入金部に紙幣受入ユニットが装着されているときの状態を示す図であり、（ｂ）は、入金部に現金搬送カセットが装着されているときの状態を示す図である。
【図５】図３に示す紙幣出納装置の機能ブロック図である。
【図６】本発明に変形例に係る店舗システムの構成を示す構成図である。
【図７】図６に示す店舗システムの概略的な機能ブロック図である。
【発明を実施するための形態】
【００２５】
以下、図面を参照して本発明の一の実施の形態について説明する。図１乃至図５は、本実施の形態に係る紙幣出納装置（紙幣処理装置）およびこの紙幣出納装置を備えた店舗システムを示す図である。このうち、図１は、本実施の形態による紙幣出納装置が設けられた店舗システムの構成を示す構成図であり、図２は、図１に示す店舗システムの概略的な機能ブロック図である。また、図３は、図１に示す店舗システムにおける紙幣出納装置の外観を示す斜視図であり、図４は、図３に示す紙幣出納装置の内部構成を示す構成図であり、図５は、図３に示す紙幣出納装置の機能ブロック図である。
【００２６】
まず、本実施の形態による紙幣出納装置が設けられた店舗システムについて図１および図２を用いて説明する。図１に示すように、店舗システム１は、店員が顧客との間で実際にやりとりした現金を入出金するフロント領域２と、フロント領域２の現金や商品を管理するバックヤード領域３とに区分けされている。そして、フロント領域２において、紙幣釣銭機５１および硬貨釣銭機５２からなる現金精算装置５０が１または複数設置されている。ここで、各現金精算装置５０は、店員によって操作されるようになっており、店員と顧客との間の精算処理が当該現金精算装置５０によって行われるようになっている。例えば、各現金精算装置５０は、顧客が支払った代金を入金したり、顧客へ支払う釣銭を出金したりするようになっている。各現金精算装置５０は、顧客操作型運用の場合は、顧客が代金を直接入金し、釣銭を受け取ることになる。また、フロント領域２において、各現金精算装置５０の近傍には、レジスター５４やセルフチェックレジスター５６が配置されている。また、各現金精算装置５０はそれぞれ対応する通信接続部１０に通信接続されており、レジスター５４やセルフチェックレジスター５６も、対応する各現金精算装置５０が通信接続された通信接続部１０に通信接続されている。また、現金精算装置５０の近傍にレジスター５４が設けられる代わりに、店員が紙幣や硬貨の手管理を行うドロア６０の近傍にレジスター５８が設けられ、このレジスター５８が通信接続部１０に通信接続される場合もある。この場合、ドロア６０はレジスター５８に通信接続されている。フロント領域２に設けられた各通信接続部１０は、バックヤード領域３に設けられた後述する上位端末４０に通信接続されている。なお、レジスター５４、５８としては、ＰＯＳレジスターやＥＣＲレジスター等が用いられるようになっている。
【００２７】
また、図１に示すように、バックヤード領域３において紙幣出納装置２０および上位端末４０がそれぞれ設置されている。紙幣出納装置２０は、フロント領域２に設置された現金精算装置５０の紙幣釣銭機５１へ装填する釣銭としての紙幣（釣銭準備金）を出金したり、紙幣釣銭機５１から回収した紙幣を入金したりするようになっている。なお、バックヤード領域３には硬貨の入出金処理等を行う硬貨出納装置は設置されていない。また、紙幣出納装置２０は通信接続部１０に通信接続されており、この通信接続部１０は上位端末４０に通信接続されている。また、バックヤード領域３にはサーバー６２が設置されており、このサーバー６２も通信接続部１０を介して上位端末４０に通信接続されている。
【００２８】
また、店舗システム１において、現金精算装置５０の紙幣釣銭機５１および紙幣出納装置２０にそれぞれ着脱可能となっている、後述する現金搬送カセット３５（図１および図２では図示せず）が用いられるようになっている。このような現金搬送カセット３５により、紙幣釣銭機５１と紙幣出納装置２０との間で現金（紙幣）の授受を行うようになっている。なお、現金搬送カセット３５は、紙幣釣銭機５１や紙幣出納装置２０から離脱しているときには当該現金搬送カセット３５内に収納された現金（紙幣）を取り出せないようになっている。
【００２９】
図２に示すように、上位端末４０は、通信接続部１０を介してバックヤード領域３に設けられた紙幣出納装置２０と様々な情報の送受信を行うようになっている。また、上位端末４０は、通信接続部１０を介してフロント領域２に設けられた紙幣釣銭機５１や硬貨釣銭機５２とも様々な情報の送受信を行うようになっている。このため、紙幣釣銭機５１や硬貨釣銭機５２と、紙幣出納装置２０との間で情報の送受信を行う際には、送受信される情報は上位端末４０を経由するようになる。なお、上位端末４０と紙幣出納装置２０との間で送受信される情報の内容の詳細、および上位端末４０と紙幣釣銭機５１や硬貨釣銭機５２との間で送受信される情報の内容の詳細については後述する。
【００３０】
次に、図３乃至図５を用いて紙幣出納装置２０の構成の概略について説明する。なお、図４は、図３に示す紙幣出納装置２０の内部構成を示す構成図であるが、図４（ａ）は、入金部２１に紙幣受入ユニット２１ａが装着されているときの状態を示す図であり、（ｂ）は、入金部２１に現金搬送カセット３５が装着されているときの状態を示す図である。
【００３１】
図４（ａ）に示すように、紙幣出納装置２０は、筐体２０ａと、入金部２１と、出金部２２と、操作表示部２９（図４では図示せず）と、印字部３０（図４では図示せず）とを備えており、入金部２１には、紙幣受入ユニット２１ａが着脱自在に装着されている。ここで、紙幣受入ユニット２１ａは、入金部２１に装着されたときに紙幣出納装置２０の外部から紙幣を受け入れて１枚ずつ筐体２０ａ内に繰り出すようになっている。このような紙幣受入ユニット２１ａは、店員が紙幣出納装置２０へ紙幣を手動で入金する場合に用いられるようになっている。なお、図４（ｂ）に示すように、入金部２１には、紙幣受入ユニット２１ａの代わりに、現金搬送カセット３５を装着することができるようになっている。現金搬送カセット３５が入金部２１に装着されたときには、この現金搬送カセット３５の内部に設けられた繰出機構により現金搬送カセット３５内の紙幣が１枚ずつ筐体２０ａ内に繰り出されるようになっている。
【００３２】
また、図４（ｂ）に示すように、現金搬送カセット３５にはカセット記憶部３５ａが設けられており、このカセット記憶部３５ａには様々な情報が記憶されるようになっている。また、図５に示すように、入金部２１には読み取り部２１ｍおよび書き込み部２１ｎが設けられており、読み取り部２１ｍは、入金部２１に現金搬送カセット３５が装着されたときにこの現金搬送カセット３５のカセット記憶部３５ａに記憶された情報を読み取るようになっている。また、書き込み部２１ｎは、入金部２１に現金搬送カセット３５が装着されたときにこの現金搬送カセット３５のカセット記憶部３５ａに情報を書き込むようになっている。これらの読み取り部２１ｍおよび書き込み部２１ｎは後述する制御部７０に接続されており、読み取り部２１ｍにより読み取られた情報は制御部７０に送られるとともに、書き込み部２１ｎは制御部７０から送られた情報に基づいてカセット記憶部３５ａへの情報の書き込みを行うようになっている。
【００３３】
図４に示すように、紙幣出納装置２０の筐体２０ａ内には紙幣を１枚ずつ搬送する搬送部２３が設けられており、この搬送部２３の端部２３ａに、前述した入金部２１が設けられている。そして、紙幣受入ユニット２１ａや現金搬送カセット３５が入金部２１に装着されたときに、これらの紙幣受入ユニット２１ａや現金搬送カセット３５から繰り出された紙幣は搬送部２３の端部２３ａを介して当該搬送部２３により搬送されるようになっている。
【００３４】
図４に示すように、搬送部２３には識別部２４が設けられており、この識別部２４によって、搬送部２３により搬送される紙幣の金種、正損、真偽等の識別を行うようになっている。
【００３５】
また、筐体２０ａ内において複数の収納繰出部２５が設けられており、各収納繰出部２５はそれぞれ搬送部２３に接続されている。各収納繰出部２５は、紙幣を金種別に収納するようになっている。より詳細には、識別部２４による識別結果に基づいて、入金部２１から搬送部２３に繰り出された紙幣は当該搬送部２３により各収納繰出部２５に金種別に送られるようになっている。また、各収納繰出部２５は、当該収納繰出部２５に収納された紙幣を１枚ずつ搬送部２３に繰り出すことができるようになっている。各収納繰出部２５は、図４に示すような紙幣を１枚ずつ一対のテープ間に挟み込んだ状態で当該テープを紙幣とともに巻き取るテープリール式の収納繰出部であってもよく、あるいは、紙幣を積み重ねて収納するスタッカ式の収納繰出部（図示せず）であってもよい。
【００３６】
また、筐体２０ａ内には回収部２６が設けられており、この回収部２６は、収納繰出部２５に収納された紙幣を回収する際に用いられるようになっている。より具体的には、回収部２６には、紙幣を収納する紙幣収納袋（図示せず）が着脱自在に設置可能となっており、収納繰出部２５から搬送部２３を経て回収部２６に送られた紙幣は紙幣収納袋内に収納されるようになっている。また、各収納繰出部２５に割り当てられていない金種の紙幣や、対応する金種の収納繰出部２５がフル状態のために収納できないオーバーフロー紙幣も回収部２６の紙幣収納袋内に収納されるようになっている。そして、回収部２６から紙幣収納袋を取り出すことにより、紙幣出納装置２０から紙幣収納袋ごと紙幣の回収を行うようになっている。
【００３７】
また、図４に示すように、紙幣出納装置２０には、機外リジェクト部２７および機内リジェクト部２８がそれぞれ設けられている。ここで、機外リジェクト部２７には、入金部２１により筐体２０ａ内に取り込まれた紙幣のうち識別部２４により正常な紙幣ではないと識別された紙幣がリジェクト紙幣として搬送部２３から送られるようになっており、この機外リジェクト部２７によりリジェクト紙幣を紙幣出納装置２０の外部に投出するようになっている。一方、機内リジェクト部２８には、紙幣出納装置２０の外部に投出することのできないようなリジェクト紙幣が搬送部２３から送られるようになっており、この機内リジェクト部２８にリジェクト紙幣を収納するようになっている。そして、店員等の管理権限のない操作者は機内リジェクト部２８内の紙幣を取り出すことはできないようになっている。
【００３８】
操作表示部２９は、紙幣出納装置２０における紙幣の収納状態等の様々な情報を表示するとともに、店員が様々な指令を入力することができるように構成されている。操作表示部２９は、例えばタッチパネル式のディスプレイ等から構成されている。また、印字部３０は例えばプリンタから構成されており、この印字部３０に備えられた印刷用紙に様々な情報を印字することができるようになっている。
【００３９】
また、紙幣出納装置２０の筐体２０ａ内には、当該紙幣出納装置２０の各構成要素の制御を行う制御部７０が設けられている。制御部７０の構成について図５を用いて説明する。図５に示すように、制御部７０は、入金部２１、出金部２２、搬送部２３、識別部２４、収納繰出部２５、回収部２６、操作表示部２９、印字部３０等にそれぞれ接続されている。そして、識別部２４による紙幣の識別結果が制御部７０に送られるようになっており、また、制御部７０から入金部２１、出金部２２、搬送部２３、収納繰出部２５、回収部２６、印字部３０にそれぞれ指令を送ることによりこれらの構成要素の制御を行うようになっている。また、操作表示部２９によって店員等により入力された情報は制御部７０に送られるようになっており、また、制御部７０から操作表示部２９に情報を送ることによりこの操作表示部２９で様々な表示を行わせるようになっている。
【００４０】
また、図５に示すように、制御部７０にはインターフェース７２が接続されており、このインターフェース７２を介して制御部７０は外部装置（具体的には、例えば上位端末４０）と情報の送受信を行うことができるようになっている。また、制御部７０には記憶部７４が接続されており、この記憶部７４には紙幣出納装置２０の様々な設定情報や、各収納繰出部２５に収納された紙幣の金種毎の枚数等の収納情報が記憶されるようになっている。
【００４１】
次に、このような構成からなる紙幣出納装置２０の動作について以下に説明する。なお、以下に示す紙幣出納装置２０の動作は、制御部７０が紙幣出納装置２０の各構成要素を制御することにより行われるようになっている。
【００４２】
まず、紙幣出納装置２０に紙幣を入金するときの動作について説明する。具体的には、図１等に示す店舗システム１において、例えば店舗の営業時間後に紙幣釣銭機５１から売上金に係る紙幣を回収し、この回収された紙幣を紙幣出納装置２０に入金するようになっている。紙幣出納装置２０に紙幣を入金するにあたり、店員が手動で紙幣を直接紙幣出納装置２０に入金する場合には、紙幣受入ユニット２１ａを入金部２１に装着する。このことにより、紙幣受入ユニット２１ａは、紙幣出納装置２０の外部から紙幣を受け入れて１枚ずつ筐体２０ａ内に繰り出すようになる。一方、現金搬送カセット３５に収納された紙幣を紙幣出納装置２０に入金する場合には、現金搬送カセット３５を入金部２１に装着する。この場合には、現金搬送カセット３５が入金部２１に装着されたときに、この現金搬送カセット３５の内部に設けられた繰出機構により現金搬送カセット３５内の紙幣が１枚ずつ筐体２０ａ内に繰り出される。
【００４３】
紙幣受入ユニット２１ａや現金搬送カセット３５から筐体２０ａ内に繰り出された紙幣は搬送部２３により搬送され、識別部２４により紙幣の識別が行われる。識別部２４により正常な紙幣であると識別された紙幣は、金種別に各収納繰出部２５に収納される。一方、識別部２４により正常な紙幣であると識別されたが、対応する金種の収納繰出部２５がフル状態である場合や、各収納繰出部２５に割り当てられていない金種の紙幣である場合には、この紙幣は回収部２６に送られる。また、識別部２４により正常な紙幣ではないと識別された紙幣（例えば、偽券、斜行券、重送券等）や、識別部２４により識別を行うことができなかった紙幣は、リジェクト紙幣として機外リジェクト部２７に送られる。このようにして、紙幣受入ユニット２１ａや現金搬送カセット３５から筐体２０ａ内に紙幣が全て繰り出され、各収納繰出部２５や回収部２６等に紙幣が全て収納されると、紙幣出納装置２０における紙幣の入金処理が終了する。
【００４４】
次に、紙幣出納装置２０から紙幣を出金するときの動作について説明する。具体的には、図１等に示す店舗システム１において、例えば店舗の営業時間前に紙幣釣銭機５１に紙幣の釣銭準備金を補充する際に、紙幣出納装置２０において所定のパターンの紙幣の釣銭準備金を出金して作成するようになっている。更に詳細に説明すると、紙幣出納装置２０において紙幣の釣銭準備金を作成する際に、現金搬送カセット３５を入金部２１に装着し、各収納繰出部２５から繰り出された紙幣を現金搬送カセット３５に収納させるようになっている。紙幣出納装置２０において紙幣の釣銭準備金を作成するにあたり、制御部７０は、紙幣の釣銭準備金の出金パターン（具体的には、金種毎の紙幣の枚数のパターン）に基づいて、各収納繰出部２５から紙幣を繰り出し、繰り出された紙幣を入金部２１に装着された現金搬送カセット３５に送るよう、紙幣出納装置２０の各構成要素を制御する。ここで、釣銭準備金の出金パターンに係る情報は、記憶部７４に予め記憶されていたり、あるいは上位端末４０からインターフェース７２を介して制御部７０に送られたりするようになっている。また、店員が操作表示部２９により制御部７０に対して釣銭準備金の出金パターンに係る情報を入力するようになっていてもよい。更に他の方法としては、現金搬送カセット３５のカセット記憶部３５ａに釣銭準備金の出金パターンが記憶されており、現金搬送カセット３５が入金部２１に装着されたときに読み取り部２１ｍがカセット記憶部３５ａに記憶された釣銭準備金の出金パターンを読み取り、この読み取られた釣銭準備金の出金パターンを用いるようになっていてもよい。
【００４５】
本実施の形態による紙幣出納装置２０では、制御部７０は、紙幣の釣銭準備金を作成する際に、硬貨の釣銭準備金に関する情報を出力するようになっている。具体的には、制御部７０から出力された硬貨の釣銭準備金に関する情報は、操作表示部２９に表示されたり、印字部３０により印字されたりするようになっている。このことにより、店員は、バックヤード領域３において、操作表示部２９に表示されたり印字部３０により印字されたりした情報（硬貨の釣銭準備金に関する情報）に基づいて、硬貨の釣銭準備金を手管理で準備することができるようになる。また、制御部７０から出力された硬貨の釣銭準備金に関する情報を、インターフェース７２によって、紙幣出納装置２０とは別の装置、具体的には例えば上位端末４０やサーバー６２に送信してもよい。この場合には、店員は上位端末４０やサーバー６２のディスプレイ（図示せず）に表示された情報を見ることにより、硬貨の釣銭準備金を手管理で準備することができるようになる。
【００４６】
また、前述したように、上位端末４０から紙幣出納装置２０には、釣銭準備金の設定情報（例えば、釣銭準備金の出金パターン）が送られるようになっているが、紙幣出納装置２０の制御部７０は、上位端末４０から送られた釣銭準備金の設定情報に基づいて、硬貨の釣銭準備金に関する情報を出力するようになっている。より詳細には、上位端末４０から紙幣出納装置２０に送られる釣銭準備金の設定情報には、紙幣の釣銭準備金の出金パターンに加えて、硬貨の釣銭準備金の出金パターンも送られるようになっている。このことにより、制御部７０は、上位端末４０から送られた釣銭準備金の設定情報のうち、紙幣の釣銭準備金の出金パターンについては、当該出金パターンに対応する紙幣を各収納繰出部２５から繰り出して、入金部２１に装着された現金搬送カセット３５に収納させるが、硬貨の釣銭準備金の出金パターンについては、当該出金パターンに係る情報を出力して操作表示部２９に表示させたり印字部３０により印字させたりするようになっている。なお、制御部７０から出力される硬貨の釣銭準備金に関する情報として、硬貨の釣銭準備金の出金パターンではなく、硬貨の釣銭準備金の合計金額が用いられるようになっていてもよい。
【００４７】
また、紙幣出納装置２０が上位端末４０に通信接続されておらず、スタンドアローンタイプ（独立型）となっている場合もある。この場合には、紙幣出納装置２０において紙幣の釣銭準備金を出金して作成する際に、制御部７０は、記憶部７４に記憶されている釣銭準備金の設定情報（例えば、釣銭準備金の出金パターン）に基づいて、各収納繰出部２５から紙幣を繰り出し、繰り出された紙幣を入金部２１に装着された現金搬送カセット３５に送るよう、紙幣出納装置２０の各構成要素を制御する。また、記憶部７４に記憶されている釣銭準備金の設定情報として、紙幣の釣銭準備金の出金パターンに加えて、硬貨の釣銭準備金の出金パターンも含まれている場合がある。この場合には、記憶部７４に記憶された釣銭準備金の設定情報に基づいて紙幣の釣銭準備金を出金する際に、制御部７０は、記憶部７４に記憶された釣銭準備金の設定情報のうち硬貨の釣銭準備金の出金パターンに係る情報を出力して操作表示部２９に表示させたり印字部３０により印字させたりするようになる。
【００４８】
また、現金搬送カセット３５のカセット記憶部３５ａに釣銭準備金の設定情報が記憶されており、現金搬送カセット３５が入金部２１に装着されたときに読み取り部２１ｍがカセット記憶部３５ａに記憶された釣銭準備金の設定情報を読み取り、この読み取られた釣銭準備金の設定情報を用いるときがある。この際に、現金搬送カセット３５のカセット記憶部３５ａに記憶されている釣銭準備金の設定情報として、紙幣の釣銭準備金の出金パターンに加えて、硬貨の釣銭準備金の出金パターンも含まれている場合がある。この場合には、読み取り部２１ｍにより読み取られた釣銭準備金の設定情報に基づいて紙幣の釣銭準備金を出金する際に、制御部７０は、読み取り部２１ｍにより読み取られた釣銭準備金の設定情報のうち硬貨の釣銭準備金の出金パターンに係る情報を出力して操作表示部２９に表示させたり印字部３０により印字させたりするようになる。
【００４９】
ここで、カセット記憶部３５ａには、釣銭準備金の設定情報に加えて、紙幣釣銭機５１や硬貨釣銭機５２の在高情報、具体的に紙幣釣銭機５１や硬貨釣銭機５２に収納されている紙幣や硬貨の金種毎の枚数も更に記憶されていてもよい。また、カセット記憶部３５ａには、現金搬送カセット３５に収納されている紙幣の収納情報、具体的には現金搬送カセット３５に収納されている紙幣の金種毎の枚数も更に記憶されていてもよい。この場合には、制御部７０は、カセット記憶部３５ａに記憶された釣銭準備金の設定情報に加えて、カセット記憶部３５ａに記憶された紙幣釣銭機５１や硬貨釣銭機５２の在高情報や、現金搬送カセット３５に収納されている紙幣の収納情報も考慮して、硬貨の釣銭準備金に関する情報を出力するようになる。
【００５０】
また、入力部２１に設けられた書き込み部２１ｎは、当該入金部２１に現金搬送カセット３５が装着されているときに、制御部７０から出力された硬貨の釣銭準備金に関する情報を、現金搬送カセット３５のカセット記憶部３５ａに書き込むようになっていてもよい。この場合には、紙幣の釣銭準備金が収納された現金搬送カセット３５がフロント領域２の現金精算装置５０に送られたときに、この現金搬送カセット３５のカセット記憶部３５ａに記憶された硬貨の釣銭準備金に関する情報を読み取ることにより、店員が実際に手動で硬貨釣銭機５２に入金した硬貨の釣銭準備金と、カセット記憶部３５ａから読み取られた硬貨の釣銭準備金に関する情報とを照合することができる。
【００５１】
また、本実施の形態の店舗システム１においては、紙幣釣銭機５１や硬貨釣銭機５２の在高情報がこれらの紙幣釣銭機５１や硬貨釣銭機５２から上位端末４０に送られるようになっており、更に上位端末４０から紙幣出納装置２０に紙幣釣銭機５１や硬貨釣銭機５２の在高情報が送られるようになっていてもよい。この場合には、制御部７０は、上位端末４０から送られた紙幣釣銭機５１や硬貨釣銭機５２の在高情報も考慮して、硬貨の釣銭準備金に関する情報を出力するようになる。
【００５２】
また、制御部７０は、紙幣出納装置２０において紙幣の釣銭準備金を出金して作成する際に、実際に紙幣出納装置２０に収納されている紙幣の釣銭準備金が不足している場合には、硬貨の釣銭準備金に関する情報を出力するときに、不足した紙幣の釣銭準備金の金額に対応する硬貨の金種毎の枚数を、出力されるべき硬貨の釣銭準備金に関する情報に追加するようになっている。具体的には、実際に紙幣出納装置２０に収納されている紙幣の釣銭準備金が例えば１０００円分だけ不足している場合には、出力される硬貨の釣銭準備金として、１０００円分の硬貨、例えば１００円硬貨１０枚を、出力される硬貨の釣銭準備金に関する情報に追加するようになっている。
【００５３】
以上のように本実施の形態の紙幣出納装置２０によれば、当該紙幣出納装置２０において紙幣の釣銭準備金を作成する際に、制御部７０は、硬貨の釣銭準備金に関する情報（すなわち、硬貨の釣銭準備金の出金パターンや合計金額、および／または金種毎の枚数）を出力するようになっている。具体的には、制御部７０から出力された硬貨の釣銭準備金に関する情報は、操作表示部２９に表示されたり、印字部３０により印字されたりするようになっている。また、インターフェース７２により、制御部７０から出力された硬貨の釣銭準備金に関する情報が紙幣出納装置２０とは別の装置に送信される場合もある。このような紙幣出納装置２０によれば、店舗システム１のバックヤード領域３に硬貨出納装置を設置することを省略することができ、コストを低減することができる。また、硬貨出納装置を設置せずに硬貨の釣銭準備金を手管理で作成する場合にも、紙幣出納装置２０において硬貨の釣銭準備金に関する情報を出力することにより、操作者が手管理で硬貨の釣銭準備金を作成するにあたり、操作表示部２９に表示された情報や印字部３０により印字された情報を操作者が確認することにより、操作者に対して部分的なサポートを行うことができ、作業効率を向上させることができる。
【００５４】
また、本実施の形態の紙幣出納装置２０においては、紙幣出納装置２０は、当該紙幣出納装置２０とは別に設けられた上位端末４０に通信接続されており、上位端末４０から紙幣出納装置２０に釣銭準備金の設定情報が送られるようになっており、紙幣出納装置２０の制御部７０は、上位端末４０から送られた釣銭準備金の設定情報に基づいて、硬貨の釣銭準備金に関する情報を出力するようになっている。あるいは、紙幣出納装置２０の制御部７０は、記憶部７４に記憶された釣銭準備金の設定情報に基づいて、硬貨の釣銭準備金に関する情報を出力するようになっていてもよい。あるいは、紙幣出納装置２０の制御部７０は、現金搬送カセット３５が入金部２１（カセット受入部）に受け入れられたときに、現金搬送カセット３５のカセット記憶部３５ａに記憶された釣銭準備金の設定情報に基づいて、硬貨の釣銭準備金に関する情報を出力するようになっていてもよい。
【００５５】
また、本実施の形態の紙幣出納装置２０においては、カセット記憶部３５ａには、紙幣釣銭機５１や硬貨釣銭機５２の在高情報も更に記憶されるようになっており、紙幣出納装置２０の制御部７０は、現金搬送カセット３５が入金部２１（カセット受入部）に受け入れられたときに、カセット記憶部３５ａに記憶された紙幣釣銭機５１や硬貨釣銭機５２の在高情報も考慮して、硬貨の釣銭準備金に関する情報を出力するようになっている。具体的には、硬貨の釣銭準備金の設定情報から、硬貨釣銭機５２の在高情報を差し引いた分の金種毎の硬貨の枚数や合計金額が、硬貨の釣銭準備金に関する情報として出力されるようになる。
【００５６】
また、本実施の形態の紙幣出納装置２０においては、カセット記憶部３５ａには、現金搬送カセット３５に収納されている紙幣の収納情報も更に記憶されるようになっており、紙幣出納装置２０の制御部７０は、現金搬送カセット３５が入金部２１（カセット受入部）に受け入れられたときに、カセット記憶部３５ａに記憶された紙幣の収納情報も考慮して、硬貨の釣銭準備金に関する情報を出力するようになっている。
【００５７】
また、本実施の形態の紙幣出納装置２０においては、入金部２１（カセット受入部）に装着された現金搬送カセット３５のカセット記憶部３５ａに情報を書き込む書き込み部２１ｎが設けられており、この書き込み部２１ｎは、制御部７０から出力された硬貨の釣銭準備金に関する情報を、現金搬送カセット３５のカセット記憶部３５ａに書き込むようになっている。このことにより、紙幣の釣銭準備金が収納された現金搬送カセット３５がフロント領域２の現金精算装置５０に送られたときに、この現金搬送カセット３５のカセット記憶部３５ａに記憶された硬貨の釣銭準備金に関する情報を読み取ることにより、店員が実際に手動で硬貨釣銭機５２に入金した硬貨の釣銭準備金と、カセット記憶部３５ａから読み取られた硬貨の釣銭準備金に関する情報とを照合することができる。
【００５８】
また、本実施の形態の紙幣出納装置２０においては、紙幣釣銭機５１や硬貨釣銭機５２から上位端末４０を介して紙幣出納装置２０に紙幣釣銭機５１や硬貨釣銭機５２の在高情報が送られるようになっており、紙幣出納装置２０の制御部７０は、紙幣釣銭機５１や硬貨釣銭機５２の在高情報も考慮して、硬貨の釣銭準備金に関する情報を出力するようになっている。具体的には、硬貨の釣銭準備金の設定情報から、硬貨釣銭機５２の在高情報を差し引いた分の金種毎の硬貨の枚数や合計金額が、硬貨の釣銭準備金に関する情報として出力されるようになる。なお、紙幣釣銭機５１や硬貨釣銭機５２から上位端末４０を介して紙幣出納装置２０に紙幣釣銭機５１や硬貨釣銭機５２の在高情報が送られる代わりに、紙幣釣銭機５１や硬貨釣銭機５２から直接紙幣出納装置２０に紙幣釣銭機５１や硬貨釣銭機５２の在高情報が送られるようになっていてもよい。また、紙幣出納装置２０の制御部７０から出力された硬貨の釣銭準備金に関する情報が、上位端末４０を介して、または直接的に、紙幣釣銭機５１や硬貨釣銭機５２に送られるようになっていてもよい。この場合には、店員が実際に手動で硬貨釣銭機５２に入金した硬貨の釣銭準備金と、制御部７０から出力された硬貨の釣銭準備金に関する情報とを照合することができる。
【００５９】
また、本実施の形態の紙幣出納装置２０においては、制御部７０は、紙幣出納装置２０において紙幣の釣銭準備金を作成する際に紙幣の釣銭準備金が不足する場合には、硬貨の釣銭準備金に関する情報を出力するときに、不足した紙幣の釣銭準備金の金額に対応する硬貨の金種毎の枚数を、硬貨の釣銭準備金に関する情報に追加するようになっている。
【００６０】
なお、本実施の形態における紙幣出納装置２０は、上記の態様に限定されるものではなく、様々の変更を加えることができる。例えば、制御部７０から出力された硬貨の釣銭準備金に関する情報（硬貨の釣銭準備金の出金パターンや合計金額、および／または金種毎の枚数）を、音声により店員に伝えるようになっていてもよい。
【００６１】
また、本発明では、バックヤード領域３に紙幣出納装置２０が設置される代わりに、紙幣出納装置がバックヤード領域３に設置されず、硬貨出納装置がバックヤード領域３に設置されるようになっていてもよい。このような態様について図６および図７を用いて説明する。
【００６２】
図６に示すように、バックヤード領域３において硬貨出納装置９０および上位端末４０がそれぞれ設置されている。この硬貨出納装置９０は、フロント領域２に設置された現金精算装置５０の硬貨釣銭機５２へ装填する釣銭としての硬貨（釣銭準備金）を出金したり、硬貨釣銭機５２から回収した硬貨を入金したりするようになっている。なお、図６および図７に示す態様では、バックヤード領域３には紙幣の入出金処理等を行う紙幣出納装置は設置されていない。また、硬貨出納装置９０は通信接続部１０に通信接続されており、この通信接続部１０は上位端末４０に通信接続されるようになっている。また、バックヤード領域３にはサーバー６２が設置されており、このサーバー６２も通信接続部１０を介して上位端末４０に通信接続されている。
【００６３】
また、店舗システム１において、現金精算装置５０の硬貨釣銭機５２および硬貨出納装置９０にそれぞれ着脱可能となっている現金搬送カセット（図示せず）が用いられるようになっている。このような現金搬送カセットにより、硬貨釣銭機５２と硬貨出納装置９０との間で現金（硬貨）の授受を行うようになっている。
【００６４】
図７に示すように、上位端末４０は、通信接続部１０を介してバックヤード領域３に設けられた硬貨出納装置９０と様々な情報の送受信を行うようになっている。また、上位端末４０は、通信接続部１０を介してフロント領域２に設けられた紙幣釣銭機５１や硬貨釣銭機５２とも様々な情報の送受信を行うようになっている。このため、紙幣釣銭機５１や硬貨釣銭機５２と、硬貨出納装置９０との間で情報の送受信を行う際には、送受信される情報は上位端末４０を経由するようになる。
【００６５】
また、図６および図７に示す態様においては、硬貨出納装置９０には、当該硬貨出納装置９０の各構成要素の制御を行う制御部９２（図６参照）が設けられている。そして、この制御部９２は、硬貨出納装置９０において硬貨の釣銭準備金を作成する際に、紙幣の釣銭準備金に関する情報（例えば、紙幣の釣銭準備金の出金パターンや合計金額、および／または金種毎の枚数）を出力するようになっている。具体的には、制御部９２から出力された紙幣の釣銭準備金に関する情報は、硬貨出納装置９０に設けられた操作表示部（図示せず）に表示されたり、硬貨出納装置９０に設けられた印字部（図示せず）により印字されたりするようになっている。また、硬貨出納装置９０に設けられたインターフェース（図示せず）により、制御部９２から出力された紙幣の釣銭準備金に関する情報が硬貨出納装置９０とは別の装置に送信される場合もある。このような硬貨出納装置９０によれば、店舗システム１のバックヤード領域３に紙幣出納装置を設置することを省略することができ、コストを低減することができる。また、紙幣出納装置を設置せずに紙幣の釣銭準備金を手管理で作成する場合にも、硬貨出納装置９０において紙幣の釣銭準備金に関する情報を出力することにより、操作者が手管理で紙幣の釣銭準備金を作成するにあたり、操作表示部に表示された情報や印字部により印字された情報を操作者が確認することにより、操作者に対して部分的なサポートを行うことができ、作業効率を向上させることができる。
【符号の説明】
【００６６】
１  店舗システム
２  フロント領域
３  バックヤード領域
１０  通信接続部
２０  紙幣出納装置
２１  入金部
２１ａ  紙幣受入ユニット
２１ｍ  読み取り部
２１ｎ  書き込み部
２２  出金部
２３  搬送部
２３ａ  端部
２４  識別部
２５  収納繰出部
２６  回収部
２７  機外リジェクト部
２８  機内リジェクト部
２９  操作表示部
３０  印字部
３５  現金搬送カセット
４０  上位端末
５０  現金精算装置
５１  紙幣釣銭機
５２  硬貨釣銭機
５４  レジスター
５６  セルフチェックレジスター
５８  レジスター
６０  ドロア
６２  サーバー
７０  制御部
７２  インターフェース
７４  記憶部
９０  硬貨出納装置
９２  制御部
【図１】
2013012056.tif 000003
【図２】
2013012056.tif 000004
【図３】
2013012056.tif 000005
【図４】
2013012056.tif 000006
【図５】
2013012056.tif 000007
【図６】
2013012056.tif 000008
【図７】
2013012056.tif 000009